(57)【特許請求の範囲】
【請求項１】
モバイル端末と、前記モバイル端末とネットワークで接続され、前記モバイル端末にインストールされたアプリケーションからの処理要求を受け付けて処理を実行する情報処理装置とを有する情報処理利用管理システムであって、
前記モバイル端末は、
前記アプリケーションの前記処理要求に基づく処理データを生成し、前記情報処理装置に前記処理データを送信する処理データ生成部を備え、
前記情報処理装置は、
前記処理データを受信する処理データ受信部と、
前記処理データから前記モバイル端末の種別を取得するモバイル端末種別取得部と、
前記処理データから前記アプリケーションの識別情報を取得するアプリケーション識別情報取得部と、
前記モバイル端末の種別と前記アプリケーションの識別情報とにより前記アプリケーションからの前記処理要求を受け付けるか否かを判断する利用制限判断部と
を備えことを特徴とする情報処理利用管理システム。
【請求項２】
前記利用制限判断部は、前記情報処理装置の全ての機能又は一部の機能について利用制限を行うことを特徴とする請求項１に記載の情報処理利用管理システム。
【請求項３】
前記情報処理装置は、
前記モバイル端末とデータの送受信を行うことで前記モバイル端末のＭＡＣアドレスの取得が可能なネットワーク通信部を備え、
前記モバイル端末種別取得部は、前記処理データに前記モバイル端末の種別が付加されていない場合に、前記ネットワーク通信部から入力するＭＡＣアドレスから前記モバイル端末の種別を取得することを特徴とする請求項１又は請求項２に記載の情報処理利用管理システム。
【請求項４】
前記モバイル端末は、
前記アプリケーションの識別情報の要求を前記情報処理装置から受信するアプリケーション識別情報要求受信部と、
前記アプリケーション識別情報要求受信部からの通知により前記アプリケーションの識別情報を前記情報処理装置に送信するアプリケーション識別情報送信部と
を備え、
前記情報処理装置は、
前記アプリケーションの識別情報の要求を前記モバイル端末に送信するアプリケーション識別情報要求送信部と、
前記アプリケーションの識別情報を前記モバイル端末から受信するアプリケーション識別情報受信部とを備え、
前記アプリケーション識別情報取得部は、前記処理データに前記アプリケーションの識別情報が付加されていない場合に、前記アプリケーション識別情報要求送信部により前記アプリケーションの識別情報の要求を前記モバイル端末に送信し、前記アプリケーション識別情報受信部により前記アプリケーションの識別情報を取得することを特徴とする請求項１から請求項３のいずれか１項に記載の情報処理利用管理システム。
【請求項５】
前記情報処理装置は、前記アプリケーションの利用制限により前記処理データの処理を行うことができない場合に、処理不可通知を前記モバイル端末に送信する不可通知送信部を備えることを特徴とする請求項１から請求項４のいずれか１項に記載の情報処理利用管理システム。
【請求項６】
モバイル端末とネットワークで接続され、前記モバイル端末にインストールされたアプリケーションからの処理要求を受け付けて処理を実行する情報処理装置であって、
前記アプリケーションの前記処理要求に基づいて生成された処理データを受信する処理データ受信部と、
前記処理データから前記モバイル端末の種別を取得するモバイル端末種別取得部と、
前記処理データから前記アプリケーションの識別情報を取得するアプリケーション識別情報取得部と、
前記モバイル端末の種別と前記アプリケーションの識別情報とにより前記アプリケーションからの前記処理要求を受け付けるか否かを判断する利用制限判断部と
を備えことを特徴とする情報処理装置。
【発明の詳細な説明】
【技術分野】
【０００１】
本発明は、モバイル端末から情報処理装置を利用できるかを判断する情報処理利用管理システム、及び情報処理装置に関する。
【背景技術】
【０００２】
携帯電話、スマートフォン又はタブレット端末などのモバイル端末から無線通信によりプリンター、多機能プリンター、多機能周辺装置、又は複合機（Ｍｕｌｔｉｆｕｎｃｔｉｏｎ  Ｐｅｒｉｐｈｅｒａｌ）などの画像形成装置に対して印刷データの印刷を要求することができる。このため、画像形成装置は、モバイル端末からの印刷要求に対して、正当なユーザーからの印刷要求であるかを判断することで、許可されていないユーザーからの印刷要求を受け付けないようにしている。例えば、特許文献１の印刷管理サーバー及び印刷管理システムでは、印刷管理サーバーがユーザー名とモバイル端末のＩＰアドレスと印刷履歴とを対応付けて印刷管理情報として記録し、モバイル端末から受信するユーザー名とモバイル端末のＩＰアドレスにより印刷データの印刷可否を判定し、印刷可と判定された場合に、印刷装置が印刷データの印刷を実行する。このように、モバイル端末からの印刷要求に対して、印刷管理サーバーがユーザー名とモバイル端末のＩＰアドレスとを用いて印刷可否を判定することで、正当なユーザー及びモバイル端末だけに、印刷装置に対する印刷データの印刷を許可することができる。
【先行技術文献】
【特許文献】
【０００３】
【特許文献１】特開２００９−１５７５３１号公報
【発明の概要】
【発明が解決しようとする課題】
【０００４】
しかし、画像形成装置から提供されるプリンタードライバーをインストールせずに、AirPrint、Google Cloud Print又はMopriaなどのような多種類の機種の画像形成装置に対応するプリンタードライバー（以下、「多機種対応プリンタードライバー」という）をモバイル端末にインストールし、これらの多機種対応プリンタードライバーを用いてモバイル端末から画像形成装置に対して印刷要求を行うようになった。このような多機種対応プリンタードライバーを用いてアプリケーションから画像形成装置に対して印刷要求を行うと、画像形成装置が印刷を正常に実行できないことがあった。このため、正当なユーザー及びモバイル端末からの印刷要求であるかを判断するだけでなく、多機種対応プリンタードライバーを用いる場合には、モバイル端末のアプリケーションについても、画像形成装置を利用できるかを判断しなければならないという問題があった。
【０００５】
本発明はこのような状況に鑑みてなされたものであり、上記課題を解決できる情報処理利用管理システム、及び情報処理装置を提供することを目的とする。
【課題を解決するための手段】
【０００６】
本発明の情報処理利用管理システムは、モバイル端末と、前記モバイル端末とネットワークで接続され、前記モバイル端末にインストールされたアプリケーションからの処理要求を受け付けて処理を実行する情報処理装置とを有する情報処理利用管理システムであって、前記モバイル端末は、前記アプリケーションの前記処理要求に基づく処理データを生成し、前記情報処理装置に前記処理データを送信する処理データ生成部を備え、前記情報処理装置は、前記処理データを受信する処理データ受信部と、前記処理データから前記モバイル端末の種別を取得するモバイル端末種別取得部と、前記処理データから前記アプリケーションの識別情報を取得するアプリケーション識別情報取得部と、前記モバイル端末の種別と前記アプリケーションの識別情報とにより前記アプリケーションからの前記処理要求を受け付けるか否かを判断する利用制限判断部とを備えことを特徴としている。
また、本発明の情報処理利用管理システムの前記利用制限判断部は、前記情報処理装置の全ての機能又は一部の機能について利用制限を行うことを特徴としている。
また、本発明の情報処理利用管理システムの前記情報処理装置は、前記モバイル端末とデータの送受信を行うことで前記モバイル端末のＭＡＣアドレスの取得が可能なネットワーク通信部を備え、前記モバイル端末種別取得部は、前記処理データに前記モバイル端末の種別が付加されていない場合に、前記ネットワーク通信部から入力するＭＡＣアドレスから前記モバイル端末の種別を取得することを特徴としている。
また、本発明の情報処理利用管理システムの前記モバイル端末は、前記アプリケーションの識別情報の要求を前記情報処理装置から受信するアプリケーション識別情報要求受信部と、前記アプリケーション識別情報要求受信部からの通知により前記アプリケーションの識別情報を前記情報処理装置に送信するアプリケーション識別情報送信部とを備え、前記情報処理装置は、前記アプリケーションの識別情報の要求を前記モバイル端末に送信するアプリケーション識別情報要求送信部と、前記アプリケーションの識別情報を前記モバイル端末から受信するアプリケーション識別情報受信部とを備え、前記アプリケーション識別情報取得部は、前記処理データに前記アプリケーションの識別情報が付加されていない場合に、前記アプリケーション識別情報要求送信部により前記アプリケーションの識別情報の要求を前記モバイル端末に送信し、前記アプリケーション識別情報受信部により前記アプリケーションの識別情報を取得することを特徴としている。
また、本発明の情報処理利用管理システムの前記情報処理装置は、前記アプリケーションの利用制限により前記処理データの処理を行うことができない場合に、処理不可通知を前記モバイル端末に送信する不可通知送信部を備えることを特徴としている。
本発明の情報処理装置は、モバイル端末とネットワークで接続され、前記モバイル端末にインストールされたアプリケーションからの処理要求を受け付けて処理を実行する情報処理装置であって、前記アプリケーションの前記処理要求に基づいて生成された処理データを受信する処理データ受信部と、前記処理データから前記モバイル端末の種別を取得するモバイル端末種別取得部と、前記処理データから前記アプリケーションの識別情報を取得するアプリケーション識別情報取得部と、前記モバイル端末の種別と前記アプリケーションの識別情報とにより前記アプリケーションからの前記処理要求を受け付けるか否かを判断する利用制限判断部とを備えことを特徴としている。
【発明の効果】
【０００７】
本発明の情報処理利用管理システム、及び情報処理装置は、モバイル端末のアプリケーションが情報処理装置を利用できるかを容易に判断できる。
【図面の簡単な説明】
【０００８】
【図１】本発明の実施形態に係る情報処理利用管理システムの構成を示す図である。
【図２】図１に示す情報処理利用管理システムのモバイル端末と画像形成装置の機能構成を示す図である。
【図３】本発明の実施形態に係る印刷機能利用制限設定テーブルの構成を示す図である。
【図４】本発明の実施形態に係るモバイル端末から画像形成装置に対する印刷要求の処理手順を説明するフローチャートである。
【発明を実施するための形態】
【０００９】
以下、本発明を実施するための形態（以下、「実施形態」という）を、図面を参照して説明する。
実施形態の情報処理利用管理システム１０は、モバイル端末のアプリケーションが多機種対応プリンタードライバーにより画像形成装置に印刷データを送信し、画像形成装置は、印刷データを送信したモバイル端末の機種などによる種別（以下、「モバイル端末の種別」という）とアプリケーションを識別できる情報（以下、「アプリケーションの識別情報」という）とにより、モバイル端末に対して機能の利用制限を行うかを判断し、利用制限がない場合に印刷データの処理を行うものである。
【００１０】
まず、実施形態の情報処理利用管理システム１０のシステム構成について、図１を用いて説明する。図１に示すように、情報処理利用管理システム１０は、モバイル端末１００、画像形成装置２００、アクセスポイント３００、ネットワーク４００、ルーター５００、インターネット６００、及びアクセスポイント７００により構成されている。画像形成装置２００及びアクセスポイント３００はネットワーク４００に接続され、ネットワーク４００はルーター５００を経由してインターネット６００に接続されている。
【００１１】
モバイル端末１００は、携帯電話、スマートフォン又はタブレット端末であり、モバイル端末１００は、アクセスポイント３００からネットワーク４００に接続、又はアクセスポイント７００からインターネット６００に接続することで画像形成装置２００とデータの送受信を行うことができる。
【００１２】
画像形成装置２００は、プリンター、多機能プリンター、多機能周辺装置、又は複合機であり、ネットワーク４００又はインターネット６００に接続することでモバイル端末１００とデータの送受信を行うことができる。
【００１３】
アクセスポイント３００は、ネットワーク４００に接続され、無線通信によりアクセスポイント３００に対して接続要求を行っているモバイル端末１００をネットワーク４００に接続する。
【００１４】
ネットワーク４００は、ＬＡＮ（Local Area Network）などのネットワーク(イントラネット等)であり、画像形成装置２００及びアクセスポイント３００が接続されている。
【００１５】
ルーター５００は、ネットワーク４００に接続され、ネットワーク４００をインターネット６００に接続する。
【００１６】
インターネット６００は、インターネットやイントラネット等のＩＰネットワークであり、アクセスポイント７００が接続されている。
【００１７】
アクセスポイント７００は、インターネット６００に接続され、無線通信によりアクセスポイント７００に対して接続要求を行っているモバイル端末１００をインターネット６００に接続する。
【００１８】
次に、情報処理利用管理システム１０のモバイル端末１００と画像形成装置２００の機能構成について、図２を用いて説明する。
【００１９】
まず、モバイル端末１００の機能構成について、説明する。図２に示すモバイル端末１００は、制御部１１０、メモリー部１２０、操作パネル１３０、操作パネル処理部１４０及びネットワーク通信部１５０を備え、これら各部はバスなどにより接続される構成となっている。制御部１１０には、印刷処理部１１０ａ、アプリケーション識別情報要求受信処理部１１０ｂ、アプリケーション識別情報送信処理部１１０ｃ及び印刷不可通知受信処理部１１０ｄが設けられている。メモリー部１２０には、モバイル端末情報データ記憶エリア１２０ａ、アプリケーション情報データ記憶エリア１２０ｂ及び画像データ記憶エリア１２０ｃが設けられている。
【００２０】
制御部１１０は、ＲＡＭやＲＯＭ等の主記憶手段、及びＣＰＵ(Central Processing Unit)等の制御手段を備えている。また、制御部１１０は、各種Ｉ／Ｏや、ＵＳＢ（ユニバーサル・シリアル・バス）等のインターフェイス、バスコントローラー等を含む総合的なモバイル端末１００の制御を行う。
【００２１】
印刷処理部１１０ａは、多機種対応プリンタードライバーであり、アプリケーションからの印刷要求に基づいて印刷データを生成し、生成した印刷データを画像形成装置２００に送信する。
【００２２】
アプリケーション識別情報要求受信処理部１１０ｂは、画像形成装置２００からアプリケーションの識別情報を要求するデータ（以下、「アプリケーション識別情報要求データ」という）を受信する。
【００２３】
アプリケーション識別情報送信処理部１１０ｃは、アプリケーション情報データ記憶エリア１２０ｂからアプリケーションの識別情報を取り出し、画像形成装置２００に送信する。
【００２４】
印刷不可通知受信処理部１１０ｄは、画像形成装置２００がモバイル端末１００からの印刷データの印刷を行わない場合に送信する印刷不可通知データを受信する。
【００２５】
メモリー部１２０は、フラッシュメモリー等の補助記憶装置で、制御部２１０が実行する処理のプログラムやデータを記憶する。
モバイル端末情報データ記憶エリア１２０ａは、モバイル端末１００の種別、ＯＳのバージョン及びメモリー容量などのモバイル端末１００に関する情報を記憶する。
アプリケーション情報データ記憶エリア１２０ｂは、モバイル端末１００にインストールされているアプリケーションの識別情報、インストール日時、提供元及び動作環境などのアプリケーションに関する情報を記憶する。
画像データ記憶エリア１２０ｃは、スキャナーで読み取られた文書の画像データ、文書作成ソフトウェアにより作成された画像データ又は他のモバイル端末１００などから受信したから画像データを記憶する。なお、画像データ記憶エリア１２０ｃに記憶されている画像データには画像名称が付けられ、画像データはこの画像名称により識別される。
【００２６】
操作パネル１３０は、モバイル端末１００に対する操作を行うための操作項目や各種情報の表示、モバイル端末１００が出力するメッセージの表示、ユーザーによる操作受け付けを行う液晶パネルである。
【００２７】
操作パネル処理部１４０は、モバイル端末１００が備えている機能に対する操作項目を操作パネル１３０に表示する処理、モバイル端末１００の各種情報や画像データを表示する処理、又は操作パネル１３０からユーザーの操作を入力する処理を行う。
【００２８】
ネットワーク通信部１５０は、モバイル端末１００をアクセスポイント３００からネットワーク４００に接続し、またアクセスポイント７００からインターネット６００とルーター５００とを経由してネットワーク４００に接続し、ネットワーク４００に接続されている画像形成装置２００とデータの送受信を行う。
【００２９】
次に、画像形成装置２００の機能構成について、説明する。図２に示す画像形成装置２００は、制御部２１０、メモリー部２２０、データ記憶部２３０、ネットワーク通信部２４０、操作パネル２５０、操作パネル処理部２６０、原稿読取部２７０、画像処理部２８０及び印刷部２９０を備え、これら各部はバスなどにより接続される構成となっている。制御部２１０には、印刷データ受信処理部２１０ａ、モバイル端末種別取得処理部２１０ｂ、アプリケーション識別情報取得処理部２１０ｃ、アプリケーション識別情報要求送信処理部２１０ｄ、アプリケーション識別情報受信処理部２１０ｅ、印刷機能利用制限判断処理部２１０ｆ及び印刷不可通知送信処理部２１０ｇが設けられている。メモリー部２２０には、印刷データ記憶エリア２２０ａ、端末種別アプリ識別情報記憶エリア２２０ｂ及び印刷機能利用制限設定テーブル２２０ｃが設けられている。データ記憶部２３０には、画像データ記憶エリア２３０ａが設けられている。
【００３０】
制御部２１０は、ＲＡＭやＲＯＭ等の主記憶手段、及びＣＰＵ(Central Processing Unit)等の制御手段を備えている。また、制御部２１０は、各種Ｉ／Ｏや、ＵＳＢ（ユニバーサル・シリアル・バス）等のインターフェイス、バスコントローラー等を含む総合的な画像形成装置２００の制御を行う。
【００３１】
印刷データ受信処理部２１０ａは、モバイル端末１００から印刷データを受信する。
【００３２】
モバイル端末種別取得処理部２１０ｂは、受信した印刷データの送信元であるモバイル端末１００の種別を取得する。
【００３３】
アプリケーション識別情報取得処理部２１０ｃは、受信した印刷データの送信元であるモバイル端末１００のアプリケーションの識別情報を取得する。
【００３４】
アプリケーション識別情報要求送信処理部２１０ｄは、アプリケーションの識別情報要求データをモバイル端末１００に送信する。
【００３５】
アプリケーション識別情報受信処理部２１０ｅは、モバイル端末１００からアプリケーションの識別情報を受信する。
【００３６】
印刷機能利用制限判断処理部２１０ｆは、モバイル端末１００の種別とアプリケーションの識別情報とにより、モバイル端末１００のアプリーションについて印刷機能の利用が制限されているかを判断する。
【００３７】
印刷不可通知送信処理部２１０ｇは、印刷機能利用制限判断処理部２１０ｆによりモバイル端末１００のアプリケーションが印刷機能を利用できないと判断された場合に、モバイル端末１００に印刷不可通知を送信する。
【００３８】
メモリー部２２０は、フラッシュメモリー等からなる補助記憶装置で、制御部２１０が実行する処理のプログラムやデータを記憶する。
印刷データ記憶エリア２２０ａは、モバイル端末１００から受信する印刷データを記憶する。
端末種別アプリ識別情報記憶エリア２２０ｂは、モバイル端末種別取得処理部２１０ｂが取得したモバイル端末１００の種別と、アプリケーション識別情報取得処理部２１０ｃが取得したアプリケーションの識別情報とを記憶する。
印刷機能利用制限設定テーブル２２０ｃは、モバイル端末１００の種別とアプリケーションの識別情報とに対応した印刷機能の利用制限の有無と、利用制限が有りの場合に制限される機能とを設定する。なお、印刷機能利用制限設定テーブル２２０ｃの構成については、後述する。
【００３９】
データ記憶部２３０は、データやプログラムを記憶するハードディスクドライブである。
画像データ記憶エリア２３０ａは、原稿読取部２７０から読み取られ画像処理部２８０により変換された画像データや、ネットワーク通信部２４０を経由して他の装置から受信した画像データを記憶する。なお、画像データ記憶エリア２３０ａに記憶されている画像データには画像名称が付けられ、画像データはこの画像名称により識別される。
【００４０】
ネットワーク通信部２４０は、画像形成装置２００をネットワーク４００に接続し、ネットワーク４００に接続されているモバイル端末１００とデータの送受信を行う。また、ネットワーク通信部２４０は、ネットワークを監視するＳＮＭＰ（Simple Network Management Protocol）のプライベートＭＩＢ（Management Information Base）コマンドによりモバイル端末１００のＭＡＣアドレス（Media Access Control address）を取得することができる。
【００４１】
操作パネル２５０は、画像形成装置２００に対する操作項目や各種情報の表示、ユーザーによる操作受け付けを行う液晶パネルである。
【００４２】
操作パネル処理部２６０は、画像形成装置２００が備えている機能に対する操作項目を操作パネル２５０に表示する処理、画像形成装置２００の各種情報や画像データを表示する処理、又は操作パネル２５０からユーザーの操作を入力する処理を行う。
【００４３】
原稿読取部２７０は、ユーザーによる操作パネル２５０からの読み取り操作により、画像形成装置２００の原稿台にセットされた原稿の読み取りを行い、読み取った原稿データを画像処理部２８０に出力する。
【００４４】
画像処理部２８０は、原稿読取部２７０が読み取った原稿データを入力すると、画像形成装置２００で処理可能な画像データに変換する。
【００４５】
印刷部２９０は、印刷用紙サイズ、両面印刷、ページ集約印刷、モノクロ印刷又はカラー印刷などの印刷設定に基づいて画像データの印刷を行う。
【００４６】
次に、印刷機能利用制限設定テーブル２２０ｃの構成について、図３を用いて説明する。印刷機能利用制限設定テーブル２２０ｃには、図３に示すように「モバイル端末の種別」、「アプリケーションの識別情報」、「利用制限の有無」及び「利用制限有りの場合に制限される機能」の項目が設けられている。
「モバイル端末の種別」は、モバイル端末１００の種別を設定する。
「アプリケーションの識別情報」は、モバイル端末１００のアプリケーションの識別情報を設定する。
「利用制限の有無」は、モバイル端末の種別とアプリケーションの識別情報とに対応した印刷機能の利用制限の有無を設定する。
「利用制限有りの場合に制限される機能」は、「利用制限の有無」が「有り」の場合に、制限される印刷機能を設定する。
例えば、「モバイル端末の種別」が「Ａ１」で、「アプリケーションの識別情報」が「Ｂ４」の場合には、「モバイル端末の種別」の「Ａ１」と、「アプリケーションの識別情報」の「Ｂ４」に対応する「利用制限の有無」が「有り」であり、「利用制限有りの場合に制限される機能」が「全ての機能」である。これにより、「モバイル端末の種別」が「Ａ１」で、「アプリケーションの識別情報」が「Ｂ４」の場合は、全ての機能に利用制限が行われる。従って、モバイル端末１００は、画像形成装置２００の全ての印刷機能を利用することができない。
【００４７】
次に、モバイル端末１００から画像形成装置に対する印刷要求の処理手順について、図４のフローチャートを用いてステップ順に説明する。
【００４８】
（ステップＳ１０１）
まず、ユーザーは、モバイル端末１００の操作パネル１３０から印刷用のアプリケーションを起動し、画像名称と、印刷用紙サイズ、両面印刷、ページ集約印刷、モノクロ印刷又はカラー印刷などの印刷設定とにより印刷要求の操作を行う。
【００４９】
（ステップＳ１０２）
次いで、アプリケーションは、操作パネル処理部１４０から画像名称と印刷設定とを入力すると、画像名称の画像データを画像データ記憶エリア１２０ｃから取り出す。
【００５０】
（ステップＳ１０３）
次いで、アプリケーションは、ステップＳ１０２で取り出した画像データとステップＳ１０１で設定された印刷設定とを印刷処理部１１０ａに出力する。
【００５１】
（ステップＳ１０４）
次いで、印刷処理部１１０ａは、画像データと印刷設定とが入力されると、画像データと印刷設定とから成る印刷データを生成する。なお、印刷処理部１１０ａは、モバイル端末情報データ記憶エリア１２０ａのモバイル端末の種別、アプリケーション情報データ記憶エリア１２０ｂのアプリケーションの識別情報を取り出し、印刷データに付加する。
【００５２】
（ステップＳ１０５）
次いで、印刷処理部１１０ａは、生成した印刷データを画像形成装置２００に送信する。
【００５３】
（ステップＳ１０６）
次いで、画像形成装置２００の印刷データ受信処理部２１０ａは、モバイル端末１００から印刷データを受信すると、印刷データ記憶エリア２２０ａに記憶する。そして、印刷データ受信処理部２１０ａは、モバイル端末種別取得処理部２１０ｂに印刷データを出力する。
【００５４】
（ステップＳ１０７）
次いで、モバイル端末種別取得処理部２１０ｂは、印刷データが入力されると、印刷データにモバイル端末１００の種別が付加されているかを判断する。印刷データにモバイル端末１００の種別が付加されているとき（ステップＳ１０７のＹｅｓ）は、ステップＳ１０８に進む。印刷データにモバイル端末１００の種別が付加されていないとき（ステップＳ１０７のＮｏ）は、ステップＳ１０９に進む。
【００５５】
（ステップＳ１０８）
ステップＳ１０７のＹｅｓにおいて、モバイル端末種別取得処理部２１０ｂは、印刷データからモバイル端末の種別を取り出すと、端末種別アプリ識別情報記憶エリア２２０ｂに記憶する。そして、モバイル端末種別取得処理部２１０ｂは、アプリケーション識別情報取得処理部２１０ｃに印刷データを出力する。
【００５６】
（ステップＳ１０９）
ステップＳ１０７のＮｏにおいて、モバイル端末種別取得処理部２１０ｂは、ネットワーク通信部２４０にＭＡＣアドレスを要求する。ネットワーク通信部２４０は、プライベートＭＩＢコマンドにより取得した印刷データの送信元であるモバイル端末１００のＭＡＣアドレスをモバイル端末種別取得処理部２１０ｂに出力する。
【００５７】
（ステップＳ１１０）
次いで、モバイル端末種別取得処理部２１０ｂは、ＭＡＣアドレスが入力されると、ＭＡＣアドレスからモバイル端末１００の種別を取り出し、端末種別アプリ識別情報記憶エリア２２０ｂに記憶する。なお、ＭＡＣアドレスは６桁のＩＤで構成され、最初の３桁がベンダーＩＤ、次の１桁が機種ＩＤ、次の２桁がシリアルＩＤとなっているので、ＭＡＣアドレスからモバイル端末１００の種別である機種ＩＤを取り出すことができる。例えば、ＭＡＣアドレスが、「ａ１：ａ２：ａ３：ａ４：ａ５：ａ６」である場合には、「ａ４」がモバイル端末１００の種別となる。そして、モバイル端末種別取得処理部２１０ｂは、アプリケーション識別情報取得処理部２１０ｃに印刷データを出力する。
【００５８】
（ステップＳ１１１）
ステップＳ１０８又はステップＳ１１０に次いで、アプリケーション識別情報取得処理部２１０ｃは、印刷データが入力されると、印刷データにアプリケーションの識別情報が付加されているかを判断する。印刷データにアプリケーションの識別情報が付加されているとき（ステップＳ１１１のＹｅｓ）は、ステップＳ１１２に進む。印刷データにアプリケーションの識別情報が付加されていないとき（ステップＳ１１１のＮｏ）は、ステップＳ１１３に進む。
【００５９】
（ステップＳ１１２）
ステップＳ１１１のＹｅｓにおいて、アプリケーション識別情報取得処理部２１０ｃは、印刷データからアプリケーションの識別情報を取り出すと、端末種別アプリ識別情報記憶エリア２２０ｂに記憶する。そして、アプリケーション識別情報取得処理部２１０ｃは、印刷機能利用制限判断処理部２１０ｆに印刷機能利用制限判断要求通知を出力する。
【００６０】
（ステップＳ１１３）
ステップＳ１１１のＮｏにおいて、アプリケーション識別情報取得処理部２１０ｃは、アプリケーション識別情報要求送信処理部２１０ｄにアプリケーション識別情報要求通知を出力する。
【００６１】
（ステップＳ１１４）
次いで、アプリケーション識別情報要求送信処理部２１０ｄは、アプリケーション識別情報要求通知が入力されると、モバイル端末１００にアプリケーション識別情報要求データを送信する。
【００６２】
（ステップＳ１１５）
次いで、モバイル端末１００のアプリケーション識別情報要求受信処理部１１０ｂは、アプリケーション識別情報要求データを受信すると、アプリケーション情報データ記憶エリア１２０ｂからアプリケーションの識別情報を取り出し、アプリケーション識別情報送信処理部１１０ｃに出力する。
【００６３】
（ステップＳ１１６）
次いで、アプリケーション識別情報送信処理部１１０ｃは、アプリケーションの識別情報が入力されると、アプリケーションの識別情報を画像形成装置２００に送信する。
【００６４】
（ステップＳ１１７）
次いで、画像形成装置２００のアプリケーション識別情報受信処理部２１０ｅは、アプリケーションの識別情報を受信すると、アプリケーションの識別情報を端末種別アプリ識別情報記憶エリア２２０ｂに記憶し、印刷機能利用制限判断処理部２１０ｆに印刷機能利用制限判断要求通知を出力する。
【００６５】
（ステップＳ１１８）
ステップＳ１１２又はステップＳ１１７に次いで、印刷機能利用制限判断処理部２１０ｆは、印刷機能利用制限判断要求通知が入力されると、端末種別アプリ識別情報記憶エリア２２０ｂからモバイル端末１００の種別とアプリケーションの識別情報とを取り出す。
【００６６】
（ステップＳ１１９）
次いで、印刷機能利用制限判断処理部２１０ｆは、印刷機能利用制限設定テーブル２２０ｃからモバイル端末１００の種別とアプリケーションの識別情報とに対応する「利用制限の有無」を取り出す。
【００６７】
（ステップＳ１２０）
次いで、印刷機能利用制限判断処理部２１０ｆは、「利用制限の有無」が「有り」であるかを判断する。「利用制限の有無」が「有り」であるとき（ステップＳ１２０のＹｅｓ）は、ステップＳ１２１に進む。「利用制限の有無」が「有り」でなく「無し」であるとき（ステップＳ１２０のＮｏ）は、ステップＳ１２６に進む。
【００６８】
（ステップＳ１２１）
ステップＳ１２０のＹｅｓにおいて、印刷機能利用制限判断処理部２１０ｆは、ステップＳ１２０で取り出した「利用制限の有無」の「有り」に対応する「利用制限有りの場合に制限される機能」を印刷機能利用制限設定テーブル２２０ｃから取り出す。
【００６９】
（ステップＳ１２２）
次いで、印刷機能利用制限判断処理部２１０ｆは、印刷データ記憶エリア２２０ａから印刷データを取り出すと、印刷データの印刷設定に基づいて印刷データの画像データを印刷するために使用される機能（以下、「印刷設定の機能」という）が「利用制限有りの場合に制限される機能」に存在するかを判断する。これにより、印刷設定の機能が利用制限されているかを判断できる。印刷設定の機能が利用制限されているとき（ステップＳ１２２のＹｅｓ）は、ステップＳ１２３に進む。印刷設定の機能が利用制限されていないとき（ステップＳ１２２のＮｏ）は、ステップＳ１２６に進む。例えば、印刷設定がカラー印刷となっている場合に、「利用制限有りの場合に制限される機能」に「カラー印刷」が存在するかを判断することで、印刷設定のカラー印刷について利用が制限されているかを判断できる。
【００７０】
（ステップＳ１２３）
ステップＳ１２２のＹｅｓにおいて、印刷機能利用制限判断処理部２１０ｆは、利用が制限された印刷設定の機能を印刷不可通知送信処理部２１０ｇに出力する。
【００７１】
（ステップＳ１２４）
次いで、印刷不可通知送信処理部２１０ｇは、印刷設定の機能が入力されると、印刷設定の機能を格納した印刷不可通知データをモバイル端末１００に送信する。
【００７２】
（ステップＳ１２５）
次いで、モバイル端末１００の印刷不可通知受信処理部１１０ｄは、印刷不可通知データを入力すると、印刷不可通知データから印刷設定の機能を取り出し、操作パネル処理部１４０により印刷設定の機能が利用制限されていることにより印刷が不可であることを通知するメッセージを操作パネル１３０に表示する。
【００７３】
（ステップＳ１２６）
ステップＳ１２０のＮｏ又はステップＳ１２２のＮｏにおいて、印刷機能利用制限判断処理部２１０ｆは、印刷データ記憶エリア２２０ａから印刷データを取り出し、印刷データの画像データと印刷設定とを印刷部２９０に出力する。
【００７４】
（ステップＳ１２７）
次いで、印刷部２９０は、画像データと印刷設定とが入力されると、印刷設定に基づいて画像データを用紙に印刷する。
【００７５】
以上により、モバイル端末１００が画像形成装置２００の専用のプリンタードライバーでなく多機種対応プリンタードライバーを使用した場合でも、モバイル端末１００の種別とアプリケーションの識別情報により、印刷が実行される前にアプリケーションが印刷設定の機能の一部又は全てが利用制限されているかを判断することができる。また、印刷設定の機能が利用制限されている場合には、利用制限されていることを通知するメッセージがモバイル端末１００に表示されるので、ユーザーはこのメッセージを確認した後に、印刷設定を変更し、再び印刷要求するなどの処置を行うことができる。
【００７６】
また、実施形態においては、１台のモバイル端末１００から画像形成装置２００に印刷要求を行う場合について説明したが、ネットワーク４００又はインターネット６００に接続可能な複数の他のモバイル端末１００からも同様に実施することができる。
【００７７】
また、実施形態においては、モバイル端末１００から画像形成装置２００に印刷要求を行う場合の利用制限について説明したが、印刷要求に限定されない。例えば、モバイル端末１００の処理データ生成部が処理要求の処理データを生成し、情報処理装置の利用制限判断部が処理データを実行するために使用される機能（以下、「処理の機能」という）が利用制限されているかを、モバイル端末１００の種別とアプリケーションの識別情報とを用いて判断し、利用制限されている場合には、情報処理装置が処理データを実行しないようにする。つまり、処理要求の受付が可能な情報処理装置において、処理要求を受け付けるか否かを判断することができる。
【００７８】
このような本発明の情報処理利用管理システム、及び情報処理装置は、モバイル端末のアプリケーションが情報処理装置を利用できるかを容易に判断できる。
【００７９】
以上、具体的な実施の形態により本発明を説明したが、上記実施の形態は本発明の例示であり、この実施の形態に限定されないことは言うまでもない。
【産業上の利用可能性】
【００８０】
本発明の情報処理利用管理システム、及び情報処理装置は、処理を要求する装置と処理を実行する装置とを有するシステムや装置一般に適用できる。
【符号の説明】
【００８１】
１０・・・・・情報処理利用管理システム
１００・・・・・モバイル端末
１１０・・・・・制御部
１１０ａ・・・・印刷処理部（処理データ生成部）
１１０ｂ・・・・アプリケーション識別情報要求受信処理部
１１０ｃ・・・・アプリケーション識別情報送信処理部
１１０ｄ・・・・印刷不可通知受信処理部
１２０・・・・・メモリー部
１２０ａ・・・・モバイル端末情報データ記憶エリア
１２０ｂ・・・・アプリケーション情報データ記憶エリア
１２０ｃ・・・・画像データ記憶エリア
１３０・・・・・操作パネル
１４０・・・・・操作パネル処理部
１５０・・・・・ネットワーク通信部
２００・・・・・画像形成装置
２１０・・・・・制御部
２１０ａ・・・・印刷データ受信処理部
２１０ｂ・・・・モバイル端末種別取得処理部
２１０ｃ・・・・アプリケーション識別情報取得処理部
２１０ｄ・・・・アプリケーション識別情報要求送信処理部
２１０ｅ・・・・アプリケーション識別情報受信処理部
２１０ｆ・・・・印刷機能利用制限判断処理部（利用制限判断部）
２１０ｇ・・・・印刷不可通知送信処理部
２２０・・・・・メモリー部
２２０ａ・・・・印刷データ記憶エリア
２２０ｂ・・・・端末種別アプリ識別情報記憶エリア
２２０ｃ・・・・印刷機能利用制限設定テーブル
２３０・・・・・データ記憶部
２３０ａ・・・・画像データ記憶エリア
２４０・・・・・ネットワーク通信部
２５０・・・・・操作パネル
２６０・・・・・操作パネル処理部
２７０・・・・・原稿読取部
２８０・・・・・画像処理部
２９０・・・・・印刷部
３００・・・・・アクセスポイント
４００・・・・・ネットワーク
５００・・・・・ルーター
６００・・・・・インターネット
７００・・・・・アクセスポイント
【図１】
0006365569.tif 000002
【図２】
0006365569.tif 000003
【図３】
0006365569.tif 000004
【図４】
0006365569.tif 000005